(57)【特許請求の範囲】
【請求項１】
屋外に設置することができるように耐久性を有するハウジングの内部に、
監視カメラ、
監視カメラによる録画画像を保存するメモリ、
電源装置及び
これらを制御する制御装置
を設けた屋外設置用の防犯用監視カメラにおいて、
個人を特定することができる個人識別ＩＤを記憶させた識別情報発信手段から、前記個人識別ＩＤを受信することができるように構成された識別情報受信装置と、
少なくとも外部のサーバーとデータの送受信を行うデータ送受信装置と
マイクと
を設け、
前記制御装置が、前記識別情報受信装置が個人識別ＩＤを受信した時に、その個人識別ＩＤと、各防犯用監視カメラに割り当てられたカメラ識別ＩＤと、受信時間とを位置検知情報としてサーバーへ送信し、かつ、前記識別情報受信装置が個人識別ＩＤを受信した時に、前記マイクから所定値以上の音を入力した場合、位置検知の対象となっている人が何等かの犯罪又は事故に巻き込まれている可能性があることを示す危険情報を前記位置検知情報に加えてサーバーへ送信するように構成されている
ことを特徴とする屋外設置用の防犯用監視カメラ。
【請求項２】
さらにスピーカーを備え、
前記制御装置が、前記識別情報受信装置が個人識別ＩＤを受信した時に、前記マイクから所定値以上の音を入力した場合、位置検知の対象となっている人が何等かの犯罪又は事故に巻き込まれている可能性があることを示す警告音をスピーカーから出力するように構成した
ことを特徴とする請求項１に記載の屋外設置用の防犯監視カメラ。
【請求項３】
前記制御装置が、前記識別情報受信装置が個人識別ＩＤを受信した時に、受信時の録画画像から少なくとも一枚の静止画像を取り出し、前記静止画像を前記位置検知情報と関連付けしてサーバーへ送信するように構成した
ことを特徴とする請求項１又は２に記載の屋外設置用の防犯用監視カメラ。
【請求項４】
予め決めた防犯領域内に複数設けられた請求項１〜３の何れか一項に記載の屋外設置用の防犯用監視カメラと、
前記各防犯用監視カメラとデータの送受信が可能なサーバーと、
位置検知の対象となる者に携帯又は装着される識別情報発信手段と、
位置検知の対象となる者の世話人の端末装置と
から成り、
前記識別情報発信手段には、位置検知の対象となる者を特定することができる個人識別ＩＤが記憶され、
防犯用監視カメラには、各防犯用監視カメラに個別に割り当てられたカメラ識別ＩＤが記憶され、
サーバーは前記位置検知の対象となる者の個人識別ＩＤと、その世話人とを関連付けしたデータ及びカメラ識別ＩＤとその防犯用監視カメラの設置場所とを関連付したデータを有し、かつ、
サーバーは、前記識別情報受信装置が個人識別ＩＤを受信した時に、防犯用監視カメラから送られてくる個人識別ＩＤ、カメラ識別ＩＤ、受信時間及び危険情報を含む位置検知情報を順次追加記憶してデータベースを作成する
ことを特徴とする防犯システム。
【請求項５】
前記サーバーが、受信した位置検知情報を世話人に送信するための送信方法を設定することができるように構成されている
ことを特徴とする請求項４に記載の防犯システム。
【請求項６】
位置検知情報を受信した時に自動的に世話人の端末装置に受信した位置検知情報を送信するように、前記サーバーの送信方法が構成されている
ことを特徴とする請求項５に記載の防犯システム。
【請求項７】
所定の時間内に同一の防犯用監視カメラから同一の個人識別ＩＤに関する位置検知情報を複数回受信した場合、一つの位置検知情報のみを世話人に送信し、他の位置検知情報は世話人に送信しないように、前記サーバーの送信方法が構成されている
ことを特徴とする請求項５に記載の防犯システム。
【請求項８】
前記サーバーが、前記世話人から位置検知の対象となる者の捜索依頼通報を受信した場合、
その検知対象の対象となる者に対応する個人識別ＩＤに関連する位置検知情報は、全て、世話人に送信するように、前記サーバーの送信方法が構成されている
ことを特徴とする請求項７に記載の防犯システム。
【発明の詳細な説明】
【技術分野】
【０００１】
本発明は、老人や子供等を含む所定の人等の位置や移動履歴の確認に利用できるように構成された屋外設置用の防犯用監視カメラ及び該防犯用監視カメラを備えた防犯システムに関する。
【背景技術】
【０００２】
従来から犯罪等の予防のために屋外に防犯用監視カメラを設けることは行われている。
この防犯用監視カメラは、屋外に設置する場合には、電柱等に設置することにより、単独で電源を確保して、スタンドアローン形式で動作するように構成されているものが好ましい。このようにスタンドアローン形式で動作するように構成することで、設置場所が制限されることがなくなるからである。
スタンドアローン形式で防犯用監視カメラを構成するためには、防犯カメラが録画機能を内蔵していることが必須である。
出願人は、上記したスタンドアローン形式の屋外で用いられる防犯用監視カメラを既に提案している（特許文献１：特許第5698104号）。
【先行技術文献】
【特許文献】
【０００３】
【特許文献１】特許第5698104号公報
【特許文献２】特開2006-145485号公報
【発明の概要】
【発明が解決しようとする課題】
【０００４】
上記したように防犯カメラを設置することにより、例えば、行方不明者等の捜索をする時に、防犯用監視カメラにより録画され記憶された画像データに、行方不明者が映っていないか否かを確認することにより、その者のある程度の行動範囲や位置を特定することが可能になる。録画画像を確認することにより本人確認も合わせて行うことができるので、正確な情報を得ることができる。
しかし、行方不明者を探す場合には、ある程度、領域を絞って、その領域にある全ての防犯用監視カメラの全ての録画画像を見て、行方不明者を探さなければならないので、非常に時間がかかるという問題がある。
また、絞る領域を間違ってしまうと、行方不明者が録画されている画像があるにも拘わらず、それを発見できないという可能性もあるため、行方不明者の発見がさらに遅れ、又は発見することができずに、さらに深刻な問題になる。
上記した問題点を解決するために、装着するべき被介護者を特定するＩＤコードを記憶した無線タグと、該無線タグからのデータを読み取る受信装置と、前記受信装置から受信したデータに基づいて、被介護者の現在位置及びその状態を判断して、必要に応じて介護者に被介護者の現在位置及びその状態を知らせるように構成した位置検知システムが提案されている（特許文献２：特開2006-145485）。
この位置検知システムは屋内を想定したシステムではあるが、介護者に積極的に被介護者の位置を知らせてくれるので、監視カメラのように全ての録画画像を確認しなくても、捜索対象者、この場合には被介護者を見つけることができるという効果を有する。しかし、このような位置検知システムは、無線タグに記憶したＩＤコードのみで管理を行うため、本人確認が不完全であり、例えば、別の人が無線タグを持っていた場合には、その無線タグを持っている人を実際に見つけるまでは、無線タグから得た情報が誤った情報なのか否かを確認するすべがない。内部にいる人が限られた屋内であれば大きな問題にはならないが、例えば、屋外での行方不明者の捜索に利用した場合には、捜索する対象者を間違えてしまうことになるので、時間のロスが大きく、犯罪や事故等に巻き込まれている可能性を考慮すると大きな問題である。
本発明は、上記した従来の問題点を解決し、早期に確実に行方不明者の情報を得ることができるように構成された防犯用監視カメラ及び該防犯用監視カメラを用いた防犯システムを提供することを目的としている。
【課題を解決するための手段】
【０００５】
上記した目的を達成するために、本発明に係る屋外設置用の防犯用監視カメラは、屋外に設置することができるように耐久性を有するハウジングの内部に、監視カメラ、監視カメラによる録画画像を保存するメモリ、電源装置及びこれらを制御する制御装置を設けた屋外設置用の防犯用監視カメラにおいて、個人を特定することができる個人識別ＩＤを記憶させた識別情報発信手段から、前記個人識別ＩＤを受信することができるように構成された識別情報受信装置と、少なくとも外部のサーバーとデータの送受信を行うデータ送受信装置とマイクとを設け、前記制御装置が、前記識別情報受信装置が個人識別ＩＤを受信した時に、その個人識別ＩＤと、各防犯用監視カメラに割り当てられたカメラ識別ＩＤと、受信時間とを位置検知情報としてサーバーへ送信し、かつ、前記識別情報受信装置が個人識別ＩＤを受信した時に、前記マイクから所定値以上の音を入力した場合、位置検知の対象となっている人が何等かの犯罪又は事故に巻き込まれている可能性があることを示す危険情報を前記位置検知情報に加えてサーバーへ送信するように構成されていることを特徴とする。
前記識別情報発信手段は、個人を識別することができるＩＤを記憶することができ、かつ、そのＩＤを発信することができるように構成された発信手段であり、具体的には、例えば、無線タグ又は携帯電話であり得る。
また、前記屋外設置用の防犯用監視カメラは、さらにスピーカーを備え、前記制御装置が、前記識別情報受信装置が個人識別ＩＤを受信した時に、前記マイクから所定値以上の音を入力した場合、位置検知の対象となっている人が何等かの犯罪又は事故に巻き込まれている可能性があることを示す警告音をスピーカーから出力するように構成され得る。
さらにまた、前記制御装置は、前記識別情報受信装置が個人識別ＩＤを受信した時に、受信時の録画画像から少なくとも一枚の静止画像を取り出し、前記静止画像を前記位置検知情報と関連付けしてサーバーへ送信するように構成してもよい。
また、本発明に係る屋外設置用の防犯用監視カメラを用いた防犯システムは、予め決めた防犯領域内に複数設けられた請求項１〜３の何れか一項に記載の屋外設置用の防犯用監視カメラと、前記各防犯用監視カメラとデータの送受信が可能なサーバーと、位置検知の対象となる者に携帯又は装着される識別情報発信手段と、位置検知の対象となる者の世話人の端末装置とから成り、前記識別情報発信手段には、位置検知の対象となる者を特定することができる個人識別ＩＤが記憶され、防犯用監視カメラには、各防犯用監視カメラに個別に割り当てられたカメラ識別ＩＤが記憶され、サーバーは前記位置検知の対象となる者の個人識別ＩＤと、その世話人とを関連付けしたデータ及びカメラ識別ＩＤとその防犯用監視カメラの設置場所とを関連付したデータを有し、かつ、サーバーは、前記識別情報受信装置が個人識別ＩＤを受信した時に、防犯用監視カメラから送られてくる個人識別ＩＤ、カメラ識別ＩＤ、受信時間及び危険情報を含む位置検知情報を順次追加記憶してデータベースを作成することを特徴とする。
前記前記サーバーは、受信した位置検知情報を世話人に送信するための送信方法を設定することができるように構成され得る。
具体的には、位置検知情報を受信した時に自動的に世話人の端末装置に受信した位置検知情報を送信するように、前記サーバーの送信方法は構成してもよい。
また、所定の時間内に同一の防犯用監視カメラから同一の個人識別ＩＤに関する位置検知情報を複数回受信した場合、一つの位置検知情報のみを世話人に送信し、他の位置検知情報は世話人に送信しないように、前記サーバーの送信方法を構成してもよい。
さらに、前記サーバーが、前記世話人から位置検知の対象となる者の捜索依頼通報を受信した場合、その検知対象の対象となる者に対応する個人識別ＩＤに関連する位置検知情報は、全て、世話人に送信するように、前記サーバーの送信方法を構成してもよい。
【発明の効果】
【０００６】
本発明に係る屋外設置用の防犯用監視カメラは、屋外に設置することができるように耐久性を有するハウジングの内部に、監視カメラ、監視カメラによる録画画像を保存するメモリ、電源装置及びこれらを制御する制御装置を設けた屋外設置用の防犯用監視カメラにおいて、個人を特定することができる個人識別ＩＤを記憶させた識別情報発信手段から、前記個人識別ＩＤを受信することができるように構成された識別情報受信装置と、少なくとも外部のサーバーとデータの送受信を行うデータ送受信装置とマイクとを設け、前記制御装置が、前記識別情報受信装置が個人識別ＩＤを受信した時に、その個人識別ＩＤと、各防犯用監視カメラに割り当てられたカメラ識別ＩＤと、受信時間とを位置検知情報としてサーバーへ送信し、かつ、前記識別情報受信装置が個人識別ＩＤを受信した時に、前記マイクから所定値以上の音を入力した場合、位置検知の対象となっている人が何等かの犯罪又は事故に巻き込まれている可能性があることを示す危険情報を前記位置検知情報に加えてサーバーへ送信するように構成されているので、例えば、無線タグ等の識別情報発信手段を位置検知すべき人に携帯又は装着させておくだけで、その人が屋外設置用の防犯用監視カメラの受信領域に入ると自動的に個別識別ＩＤが受信されて、カメラ識別ＩＤ及び受信時間と共にサーバーへ送られる。屋外設置用の防犯用監視カメラが設けられている位置をサーバーに登録しておくだけで、位置検知すべき人の位置の特定が可能になり、かつ、必要に応じて屋外設置用の防犯用監視カメラの録画画像から本人確認をすることや、位置検知された時の、その人の状態を確認することが可能になる。また、本発明に係る屋外設置用の防犯用監視カメラは、マイクを備え、前記制御装置が、前記無線タグ用受信装置が個人識別ＩＤを受信した時に、前記マイクから所定値以上の音を入力した場合、位置検知の対象となっている人が何等かの犯罪又は事故に巻き込まれている可能性があることを示す危険情報を前記位置検知情報に加えてサーバーへ送信するように構成されているので、例えば、子供に、識別情報発信手段と共に防犯ブザーを携帯又は装着させておけば、位置の検知と共に、防犯ブザーが鳴るような緊急事態を直ぐに知ることができるようになる。また、このような屋外設置用の防犯用監視カメラの録画画像から、このような緊急事態の状況を画像で確認することができる。
本発明に係る屋外設置用の防犯用監視カメラは、さらにスピーカーを備え、前記制御装置が、前記識別情報受信装置が個人識別ＩＤを受信した時に、前記マイクから所定値以上の音を入力した場合、位置検知の対象となっている人が何等かの犯罪又は事故に巻き込まれている可能性があることを示す警告音をスピーカーから出力するように構成されているので、防犯ブザーが鳴るような緊急事態が発生している現場で、警告音を鳴らすことで周囲の注意をさらに喚起することが可能になり、犯罪に巻き込まれる可能性を低減することができる。
前記制御装置を、前記識別情報受信装置が個人識別ＩＤを受信した時に、受信時の録画画像から少なくとも一枚の静止画像を取り出し、前記静止画像を前記位置検知情報と関連付けしてサーバーへ送信するように構成することで、サーバー側で本人確認をすることが可能になる。
また、本発明に係る防犯システムは、予め決めた防犯領域内に複数設けられた請求項１〜３の何れか一項に記載の屋外設置用の防犯用監視カメラと、前記各防犯用監視カメラとデータの送受信が可能なサーバーと、位置検知の対象となる者に携帯又は装着される識別情報発信手段と、位置検知の対象となる者の世話人の端末装置とから成り、前記識別情報発信手段には、位置検知の対象となる者を特定することができる個人識別ＩＤが記憶され、防犯用監視カメラには、各防犯用監視カメラに個別に割り当てられたカメラ識別ＩＤが記憶され、サーバーは前記位置検知の対象となる者の個人識別ＩＤと、その世話人とを関連付けしたデータ及びカメラ識別ＩＤとその防犯用監視カメラの設置場所とを関連付したデータを有し、かつ、サーバーは、前記識別情報受信装置が個人識別ＩＤを受信した時に、防犯用監視カメラから送られてくる個人識別ＩＤ、カメラ識別ＩＤ、受信時間及び危険情報を含む位置検知情報を順次追加記憶してデータベースを作成するように構成されているので、個人識別ＩＤを用いて、位置検知すべき人の位置の特定及び行動履歴を簡単に確認することが可能になり、かつ、全てのデータにカメラ識別ＩＤが含まれているので、必要に応じて、対応する防犯用監視カメラの録画画像を見ることで、本人確認をすることができ、かつ、検知された時の状況を知ることも可能になる。また、位置検知情報は必要に応じて危険情報が含まれているので、位置検知の対象となっている人が何等かの犯罪又は事故に巻き込まれている可能性があることを知ることが可能になる。
【図面の簡単な説明】
【０００７】
【図１】本発明に係る防犯用監視カメラを用いた防犯システムの第一実施例を概念的に示す概略図である。
【図２】図１に示した防犯システムの構成を示す概略ブロック図である。
【図３】図１に示した防犯システムで用いられる防犯用監視カメラの概略ブロック図である。
【図４】本発明に係る防犯用監視カメラを用いた防犯システムの第二実施例を概念的に示す概略図である。
【図５】図４に示した防犯システムの構成を示す概略ブロック図である。
【図６】図４に示した防犯システムで用いられる防犯用監視カメラの概略ブロック図である。
【発明を実施するための形態】
【０００８】
以下、添付図面に示す一実施例を参照しながら本発明に係る防犯用監視カメラを備えた防犯システムの実施の形態について説明をしていく。
始めに図１〜図３を用いて本発明に係る防犯システムの第一の実施例について説明していく。
図面に示すように、この防犯システムは、複数の防犯用監視カメラ１、位置検知すべき人に携帯させる識別情報発信手段１５、サーバー２０及び世話人の端末３０を有する。ここで、「世話人」とは、位置検知すべき人を世話する人であり、例えば、老人に対する肉親、介護施設等における要介護者に対する介護者、子供に対する親であり得る。また、世話人の端末３０は、例えば、自宅のコンピュータ、携帯電話又はスマートフォン等であり得る。さらにまた、識別情報発信手段１５は、この実施例では、個別識別ＩＤを記憶した無線タグで構成されている。
前記防犯用監視カメラ１は、屋外に設置することができるように耐久性を有するハウジングの内部に、監視カメラ３、監視カメラ３による録画画像を記憶させるレコーダー４、録画画像が保存されるメモリ５、電源装置６、無線タグ１５から個人識別ＩＤを受信する無線タグ用受信装置７、サーバー２０及び他の外部機器とのデータの送受信を行うデータ送受信装置８及びこれらを制御する制御装置９を有する。図面には示していないが、好ましくは、防犯用監視カメラ１のハウジングの内部には公知の温度調整手段が設けられ得る。
上記したように構成された防犯用監視カメラ１は、例えば、屋外の電柱に設置され、電源装置６を介して電柱等から電気を取得し、スタンドアローン形式で作動するように構成されている。
上記した防犯用監視カメラ１は、防犯すべき地域に適当な間隔をあけて複数台設置される。各防犯用監視カメラ１には、カメラ識別ＩＤが付与されており、該カメラ識別ＩＤはデータ送受信装置８等に記憶されている。このカメラ識別ＩＤは、設置場所と関連付けられたＩＤ番号でもよいが、「○○交差点」のように設置場所を表す具体的名称でもよい。
無線タグ１５は、それを携帯すべき人を識別するための個人識別ＩＤを記憶し、個人識別ＩＤを発信するように構成されえたアクティブ型無線タグで構成されている。無線タグ１５は、発信する電波を強さを数段階に調整することができるように構成されており、この発信する電波の強さによって受信装置７による受信可能距離を変更することができるように構成されている。具体的には、例えば、この実施例では、無線タグ１５は最大１００ｍ離れた位置で個人識別ＩＤを受信できる電波強度で電波を発信することができるように構成され、その電波強度を８段階に調整することができるように構成されている。電波強度を下げると受信可能距離が短くなるが、無線タグ１５の電池寿命が長くなり、電波強度を上げると受信可能距離が長くなるので、無線タグ１５の電池寿命は短くなる。
他方で無線タグ用受信装置７も電波を発信して固有の受信可能領域を有しており、この無線タグ用受信装置７の受信可能領域に前記無線タグ１５の電波発信領域が重なると、即ち、無線タグ用受信装置７の受信可能領域に前記無線タグ１５の電波が入ると受信装置７は無線タグ１５から個別識別ＩＤを受信する。
尚、上記した実施例では、識別情報発信手段として、アクティブ型無線タグを用いる例を説明しているが、識別情報発信手段は、本実施例に限定されることなく、識別情報受信手段が必要な広さの受信可能領域を確保できるように構成されていれば、任意の構成でよく、例えば、パッシブ型又はＵＨＦ帯域を使用するＵＨＦパッシブ型タグであってもよい。また、無線タグに限定されることなく、例えば、携帯電話であってもよい。
サーバー２０は、予め各カメラ識別ＩＤと、そのカメラ識別ＩＤに対応する防犯用監視カメラ１の設置場所とを関連付して記憶している。
上記したように構成された防犯用監視カメラ１の動作について簡単に説明すると、防犯用監視カメラ１は、通常は、監視カメラ３を用いて周囲を連続撮影し、撮影した画像を適当なコマ数（例えば、１秒４コマ）でメモリ５に保存するように構成されている。
無線タグ用受信装置７の受信可能領域に、無線タグ１５を携帯した者が入ると、受信装置７は、無線タグ１５から個人識別ＩＤを受信する。
制御装置９は、受信装置７が個人識別ＩＤを受信すると、その受信時間、個人識別ＩＤ及びカメラ識別ＩＤを一つの位置検出情報として、データ送受信装置８を介して、例えば、インターネット網を介して、サーバー２０へアップロードするように構成されている。
サーバー２０は、各防犯用監視カメラ１から送られてきた位置検出情報を順次蓄積してデータベースを構築し、予め設定した方法に従って、世話人の端末３０へ位置検知情報を送信する。この端末３０への検知情報の送信は、好ましくは、インターネット網を用いて電子メールの形式で行われ得る。
サーバー２０が、世話人へ位置検出情報を送信する方法は、任意に設定することが可能であり、例えば、受信した位置検知情報は、自動的に全て、世話人の端末３０に送信するように構成してもよい。
また、サーバー２０が、世話人へ位置検出情報を送信する方法は、例えば、所定の時間内に同一の防犯用監視カメラから同一の個人識別ＩＤに関する位置検知情報を複数回受信した場合、一つの位置検知情報のみを世話人に送信し、他の位置検知情報は世話人に送信しないように構成してもよい。このように構成することで、無線タグ１５を持った者が、同一の防犯用監視カメラの近くを行ったり来たりした場合でも世話人への情報の送信量が無駄に多くなることがなくなり、位置検知情報の情報としての精度が上がる。
また、前記サーバー２０が、前記世話人から位置検知の対象となる者の捜索依頼通報を受信した場合には、その検知対象の対象となる者に対応する個人識別ＩＤに関連する位置検知情報は、全て、世話人に送信するように、前記サーバーの送信方法を構成してもよい。このように構成することで平常時には世話人へ送信するデータ量を最低限に抑え、かつ、緊急事態が発生した時には、世話人が位置検知の対象となる者の行動履歴を詳しく知ることができるようになる。
また、無線タグ１５を徘徊の可能性がある老人に携帯又は装着してもらうことにより、その老人の行動範囲を極端に制限しなくても、その老人の移動先にある各防犯用監視カメラ１から次々に位置検出情報がサーバーへ送られてくるため、必要に応じて、データベースから、その老人に対応する個人識別ＩＤを含んだレコードを抽出することで、その老人の現在位置及び／又は移動経路を確認することも可能になる。具体的には、サーバー２０は、予め世話人と、その世話人が世話をしている人の携帯している無線タグ１５の個人識別ＩＤとを関連付けして記憶しており、サーバー２０が世話人の端末３０から送信された捜索願等の通報を受信すると、サーバー２０は、データベースの中からその世話人に関連付された個人識別ＩＤを含むレコードを抽出し、その抽出結果に基づいて、個人識別ＩＤに対応する者の移動履歴及び／又は現在位置を含む位置検知結果に関する情報を世話人の端末３０に送信するように構成され得る。
各レコードには、検知時間、個人識別ＩＤ及びカメラ識別ＩＤが含まれているため、カメラ識別ＩＤから防犯カメラの位置を特定することで、その老人が何時頃何処にいたのかを特定することが可能になる。そして、必要に応じて、カメラ識別ＩＤに対応する防犯用監視カメラ１の設置場所まで行き、メモリ５から画像データを取り出し、検知時間前後の時間の画像を確認することで、受信した個人識別ＩＤを記憶した無線タグを携帯しているのが、その老人であるか否かの本人確認を行うことができ、かつ、その時の老人の状態を知ることも可能になるため、その後の捜索に極めて有効な情報を入手することが可能になる。
また、サーバー２０は、世話人から捜索願等の通報を受け取ると、通報に対応する個人識別ＩＤと通報情報とを関連付して、各防犯用監視カメラ１に送信するように構成され得る。この場合、防犯用監視カメラ１は、サーバー２０から通報情報を受信すると、その通報情報に対応する個人識別ＩＤを緊急扱いに変更し、その後、無線タグ用受信装置７でその個人識別ＩＤを受信した場合には、受信時間、個人識別ＩＤ及びカメラ識別ＩＤに通報があったことを示す緊急情報を加えて位置検出情報としてサーバー２０へ送信するように構成され得る。そしてこの場合、サーバー２０は、緊急情報が付加された位置検出情報を受信した場合には、その緊急情報に対応する個人識別ＩＤに関連付された世話人の端末３０に位置検知情報（即ち、個人識別ＩＤに対応する者の移動履歴や現在位置に関する情報）を送信するように構成される。これにより、世話人の端末３０には、常に新しい情報が受信されることになるため、捜索が容易になる。
また、防犯用監視カメラ１は、ランプ１０を有し得、制御装置９は、サーバー２０から通報情報を受信するとランプ１０を点滅又は点灯するように構成され得る。このように構成することにより、画像データの取り出しのために防犯用監視カメラ１の設置場所まで行った者が、直ぐに、データを取り出すべき防犯用監視カメラ１を見つけることが可能になる。
また、制御装置９は、通報情報を受信した個人識別ＩＤに関しては、その後にその個人識別ＩＤを受信した時には、受信時の画像データを少なくとも１枚、録画画像から取り出して、該画像データを位置検出情報に関連付してサーバー２０に送信するように構成してもよい。このように構成することで、サーバー２０側で本人確認を行うことができるので、より簡単に、しかも早く本人確認を行うことが可能になる。
【０００９】
上記した実施例では、防犯用監視カメラ１は、サーバー２０から通報情報を受信した場合のみ、その通報情報に対応する個人識別ＩＤを受信した時に、録画画像から、その受信時の画像データを少なくとも１枚取り出して、位置検出情報に関連付けしてサーバー２０へ送信するように構成されているが、この構成は、本実施例に限定されることなく、例えば、通報情報の有無に関係なく、常に、個人識別ＩＤを受信した時に、録画画像から、その受信時の画像データを少なくとも１枚取り出して、位置検出情報に関連付けしてサーバー２０へ送信するように構成してもよい。このように構成することで、サーバー２０側で本人確認を行うことが可能になるので、通報時の捜索がより速くなる。
また、上記した実施例では、無線タグ１５を徘徊の可能性がある老人に携帯又は装着してもらう例を挙げているが、無線タグ１５を携帯又は装着する者は、老人に限定されるものではなく、例えば、子供でもよい。
【００１０】
次に、図３及び図４を参照しながら、本発明に係る防犯システムの第二実施例について説明をしていく。
この実施例における防犯システムの基本的構成は、第一実施例と同じであるので、同一又は対応する構成要素には、第一実施例の同じ符号を付して、詳細な説明は省略する。
この第二実施例における防犯システムでは、無線タグ１５が防犯ブザー１６と一体に形成され、防犯用監視カメラ１がマイク１１を備え、制御装置９が、無線タグ１５の個人識別ＩＤを受信した時に、マイク１１から入力した音が所定値以上の音である場合に、防犯ブザー１６から警報が鳴らされたと判断して、その後の処理を行う点で、第一実施例における防犯システムとは、その構成が異なる。
上記以外の構成は、第一実施例における防犯システムと同じである。
ここで「所定値以上の音」とは、その音が防犯ブザーの警報であることを検知できる値であれば任意の値を基準としてよく、具体的には、音量であってもよく、周波数であってもよい。
制御装置９は、無線タグ用受信装置７が個人識別ＩＤを受信した時に、マイク１１から所定値以上の音を入力した場合には、位置検知の対象となっている人が持つ防犯ブザー１６から警報が鳴らされたと判断して、位置検出情報（受信時間、個人識別ＩＤ、カメラ識別ＩＤ）に、位置検知の対象となっている人が何等かの犯罪又は事故に巻き込まれている可能性があることを示す危険情報と加えてサーバー２０に送信する。
サーバー２０は、危険情報が付加された位置検出情報を受信した場合には、その危険情報に対応する個人識別ＩＤに関連付された世話人の端末３０に位置検知情報（即ち、個人識別ＩＤに対応する者の移動履歴や現在位置に関する情報）と共に危険情報を送信する。また、サーバー２０は好ましくは危険情報を警察等にも送信するように構成され得る。
また、この時、制御装置９は、好ましくは、個人識別ＩＤを受信した時又は所定値以上の音を入力した時の録画画像から画像データを少なくとも一枚、好ましくは複数枚、取り出して、位置検出情報と関連付けしてサーバー２０へ送信するように構成され得る。さらに好ましくは、制御装置９は、この時、個人識別ＩＤを受信した時又は所定値以上の音を入力した時から所定の時間が経過するまでの間の録画画像を、他の録画画像とは別に削除されないようにロックしてメモリ５に記憶させるように、又は通信容量に余裕があればサーバー２０へ送信するように構成され得る。さらにまた、制御装置９は、この時、個人識別ＩＤを受信した時又は所定値以上の音を入力した時から所定の時間が経過するまでの間、録画画像の保存コマ数を増やすように、例えば、１秒４コマから任意のコマ数（最大１秒３０コマ）まで増やすように構成され得る。
上記したように構成することで、位置検知の対象となっている人が何等かの犯罪又は事故に巻き込まれている可能性がある時に、その時の様子を通常よりも詳細に録画画像で又は静止画像で残すことが可能になる。
また、この第二実施例では、防犯用監視カメラ１は、スピーカー１２を有し得、制御装置９は、無線タグ用受信装置７が個人識別ＩＤを受信した時に、マイク１１から所定値以上の音を入力した場合には、前記スピーカー１２から警報音を鳴らすように構成され得る。このように構成することにより、地域住民に危険状況を知らせると共に、地域ぐるみで作る防犯システムを確立することに寄与する。
尚、上記した第二実施例では、無線タグ１５が防犯ブザー１６と一体に形成されている例を挙げて説明をしているが、この構成は、本実施例に限定されることなく、無線タグは防犯ブザーと別体であってもよい。無線タグをラベル状に形成し、防犯ブザーに貼り付けるように構成してもよい。
【００１１】
上記した第一及び第二実施例において、サーバー２０は、ある防犯用監視カメラ１から位置検出情報を受信した時に、その防犯用監視カメラ１に隣接する他の防犯用監視カメラ１の制御装置９に、その個人識別ＩＤに関する位置検出情報が受信されたことが分かる情報を送信するように構成され得る。この場合、制御装置９は、サーバー２０から受信する前記情報に基づいて、例えば、監視カメラ３の録画及び保存方法を変更したり、例えば、アクティブ型の無線タグを使用している場合には無線タグの電波発信強度を上げたりする等するように構成してもよい。
【符号の説明】
【００１２】
１  防犯用監視カメラ
２  ハウジング
３  監視カメラ
４  レコーダー
５  メモリ
６  電源装置
７  無線タグ用受信装置
８  データ送受信装置
９  制御装置
１０  ランプ
１１  マイク
１２  スピーカー
１５  無線タグ
１６  防犯ブザー
２０  サーバー
３０  端末
【図１】
0006663678.tif 000002
【図２】
0006663678.tif 000003
【図３】
0006663678.tif 000004
【図４】
0006663678.tif 000005
【図５】
0006663678.tif 000006
【図６】
0006663678.tif 000007